(57)【要約】【課題】  クレードル装置に装着した状態でも電話の着信に確実に対応することのできる携帯電話機、及びそのクレードル装置を提供する。【解決手段】  携帯電話機は、着信相手に応答メッセージを発信した後、前記着信相手の留守録メッセージを記憶することを可能とする留守番電話モードを有し、クレードル装置に装着されているか否かを検出する検出部を備える。携帯電話機がクレードル装置に装着されると、検出部が所定電圧等を検出することでこれを判断し、携帯電話機は留守番電話モードに切り替えられるので、電話の着信に確実に対応することができる。携帯電話機は、クレードル装置から離脱されると、クレードル装置への装着時に着信があったか否かによって以後の動作モードが切り替わる。【選択図】        図５
2006025239.tif 000002
【特許請求の範囲】
【請求項１】
着信相手に応答メッセージを発信した後、前記着信相手の留守録メッセージを記憶することを可能とする留守番電話モードを有する携帯電話機において、
クレードル装置の所定位置に保持されているか否かを検出する検出手段を備え、この保持検出手段により前記所定位置に保持されたことが検出されたとき、動作モードを前記留守番電話モードに設定することを特徴とする携帯電話機。
【請求項２】
前記クレードル装置の前記所定位置に装着されている間に着信があったか否かによって、前記クレードル装置の前記所定位置から離脱された後の動作モードを切り替えることを特徴とする請求項１記載の携帯電話機。
【請求項３】
着信を報知する報知手段を備え、着信情報に応じて前記報知手段の報知動作を変更することを特徴とする請求項１又は２記載の携帯電話機。
【請求項４】
着信情報に応じて前記応答メッセージを変更することを特徴とする請求項１ないし３いずれか記載の携帯電話機。
【請求項５】
複数の着信情報を表示する表示手段を備え、各着信情報に対応する前記留守録メッセージが選択的に再生可能であることを特徴とする請求項１ないし４いずれか記載の携帯電話機。
【請求項６】
前記着信相手の留守録メッセージを前記クレードル装置へデータ出力することを特徴とする請求項１ないし５いずれか記載の携帯電話機。
【請求項７】
請求項６記載の携帯電話機が装着されるクレードル装置であって、前記携帯電話機から送られたデータを記憶する記憶手段を備え、前記携帯電話機との間でデータの送受信を可能とすることを特徴とするクレードル装置。
【請求項８】
前記記憶手段には、前記携帯電話機によって使用される前記応答メッセージが記憶されていることを特徴とする請求項７記載のクレードル装置。
【発明の詳細な説明】
【技術分野】
【０００１】
本発明は、携帯電話機及びそれを保持するクレードル装置に関するものである。
【背景技術】
【０００２】
気軽に持ち歩いて、通話や電子メールの送受信、インターネット接続などを行なうことのできる携帯電話機が普及している。携帯電話機は、電源として二次電池を内蔵している。この二次電池への充電は、自宅などに設置され、ＡＣアダプタが接続されたクレードル装置に携帯電話機を装着し、携帯電話機とクレードル装置とに設けられた端子を互いに接触させて行なうことが多い。
【０００３】
また、携帯電話機には、ユーザに電話の着信を報知する着信報知モードとして、スピーカから音を発するリンガーモードと、バイブレータを振動させるマナーモードとが備えられている。マナーモードは、電車内や会議中などにおいて着信音の出力が不都合な場合に用いられ、ユーザは、必要に応じて両モードを切り替えて使用している。
【０００４】
携帯電話機がマナーモードに設定されている場合には、ユーザは、携帯電話機を体に密着させるように保持しなければならず、携帯電話機が体から離れた場所にある場合にはバイブレータが振動しても着信に気が付かない。従って、クレードル装置に携帯電話機を装着して充電を行う際に携帯電話機がマナーモードに設定されたままであると、着信があってもユーザは気が付かず、不便である。この問題を解決するために、携帯電話機がクレードル装置に装着された場合に携帯電話機がマナーモードに設定されたままであると、自動的に携帯電話機をマナーモードからリンガーモードに切り替えること、又は、着信の際にクレードル装置に音声や表示で報知を行わせることが特許文献１に記載されている。
【０００５】
【特許文献１】特開２００１−２８５４１２号公報
【発明の開示】
【発明が解決しようとする課題】
【０００６】
しかしながら、特許文献１記載の携帯電話機であっても、ユーザが帰宅時などにおいて、携帯電話機をクレードル装置に装着した場合は、ユーザは携帯電話機から離れた場所にいるので、電話の着信に気が付いたとしてもすぐには対応できず、電話に出る前に着信相手が電話を切ってしまうことがある。また、携帯電話機をクレードル装置に装着するたびに、携帯電話機を留守番電話モードに設定して対応することも煩わしい。
【０００７】
本発明は、上記課題を解決するものであり、クレードル装置に装着した状態でも電話の着信に確実に対応することのできる携帯電話機、及びそのクレードル装置を提供することを目的とする。
【課題を解決するための手段】
【０００８】
本発明の携帯電話機は、着信相手に応答メッセージを発信した後、前記着信相手の留守録メッセージを記憶することを可能とする留守番電話モードを有する携帯電話機において、クレードル装置の所定位置に保持されているか否かを検出する検出手段を備え、この保持検出手段により前記所定位置に保持されたことが検出されたとき、動作モードを前記留守番電話モードに設定することを特徴とするものである。
【０００９】
なお、前記クレードル装置の前記所定位置に装着されている間に着信があったか否かによって、前記クレードル装置の前記所定位置から離脱された後の動作モードを切り替えることが好ましい。
【００１０】
また、着信を報知する報知手段を備え、着信情報に応じて前記報知手段の報知動作を変更することが好ましい。また、着信情報に応じて前記応答メッセージを変更することが好ましい。
【００１１】
また、複数の着信情報を表示する表示手段を備え、各着信情報に対応する前記留守録メッセージが選択的に再生可能であることが好ましい。
【００１２】
また、前記着信相手の留守録メッセージを前記クレードル装置へデータ出力することが好ましい。
【００１３】
また、本発明のクレードル装置は、前記携帯電話機が装着されるクレードル装置であって、前記携帯電話機から送られたデータを記憶する記憶手段を備え、前記携帯電話機との間でデータの送受信を可能とすることを特徴とするものである。
【００１４】
なお、前記記憶手段には、前記携帯電話機によって使用される前記応答メッセージが記憶されていることが好ましい。
【発明の効果】
【００１５】
本発明の携帯電話機は、着信相手に応答メッセージを発信した後、着信相手の留守録メッセージを記憶することを可能とする留守番電話モードを有する携帯電話機において、クレードル装置の所定位置に保持されているか否かを検出する検出手段を備え、この保持検出手段により所定位置に保持されたことが検出されたとき、動作モードを前記留守番電話モードに設定するので、携帯電話機をクレードル装置に装着した状態でも電話の着信に確実に対応することができる。
【００１６】
また、クレードル装置の所定位置に装着されている間に着信があったか否かによって、クレードル装置の所定位置から離脱された後の動作モードを切り替えるので、動作モードの再設定の必要がなく、使い勝手が向上する。
【００１７】
また、着信を報知する報知手段を備え、着信情報に応じて報知手段の報知動作を変更するので、着信相手を迅速に判断することができる。
【００１８】
また、着信情報に応じて応答メッセージを変更することで、着信相手に応じて対応を変えることができる。
【００１９】
また、複数の着信情報を表示する表示手段を備え、各着信情報に対応する留守録メッセージが選択的に再生可能であるので、ユーザは重要度に応じて選択的に留守録メッセージを再生することができる。
【００２０】
本発明のクレードル装置は、携帯電話機が装着されるクレードル装置であって、携帯電話機から送られたデータを記憶する記憶手段を備え、携帯電話機との間でデータの送受信を可能とするので、携帯電話機から送られたデータのバックアップを行うことができる。
【００２１】
また、記憶手段には、携帯電話機によって使用される応答メッセージが記憶されているので、携帯電話機はクレードル装置に個別に設定された応答メッセージを用いることができる。
【発明を実施するための最良の形態】
【００２２】
図１は、携帯電話機２、及び携帯電話機２を保持するクレードル装置３を示す。薄型の長矩形状に形成された携帯電話機２は、前面側に操作部４及び液晶表示パネル５が設けられており、これらの上方部に受話スピーカ６が、下方部に送話マイク７が設けられている。また、携帯電話機２の上端部には、通信アンテナ８が設けられている。
【００２３】
液晶表示パネル５には、電話番号などの各種情報が表示される。受話スピーカ６は通信相手の音声を発する。送話マイク７は、送話者の発する音声を集音する。操作部４には、電話番号を入力する数字ボタンのほかに、電源のオン／オフを行う電源ボタン、着信時に通話可能状態にする通話ボタン、通話を保留状態にする保留ボタン、モード選択を行うモードボタン、十字キーなどが設けられている。
【００２４】
携帯電話機２の底面部には、クレードル装置３と電気的に接続するための接続コネクタ９が設けられている。携帯電話機２の背面には、蓋部材１０が設けられており、蓋部材１０の内側には、充電可能な２次電池であるバッテリ１１（図２参照）が設けられている。また、携帯電話機２の背面には、着信音や音声メッセージなどを発するためのスピーカ１２（図２参照）が設けられている。
【００２５】
クレードル装置３は、台状に形成されており、上面に携帯電話機２が装着される凹部１３が設けられている。凹部１３は、携帯電話機２の底面部の外周に合わせた形状に形成されており、クレードル装置３は、通信アンテナ８が略鉛直上方となるように携帯電話機２を直立した姿勢で保持する。凹部１３の底部には、接続端子１４が設けられている。この接続端子１４は、凹部１３に携帯電話機２が装着されたとき、携帯電話機２に設けられた接続コネクタ９に接触して、携帯電話機２とクレードル装置３とを電気的に接続する。
【００２６】
クレードル装置３の側面には、ＤＣ電源入力コネクタ１５が設けられている。ＤＣ電源入力コネクタ１５は、不図示のＡＣアダプタを介して家庭用のコンセントに接続される。クレードル装置３は、携帯電話機２を保持する台として機能するとともに、携帯電話機２のバッテリ１１の充電を行うターミナルとしても機能する。
【００２７】
クレードル装置３の上面には、操作部１６が設けられている。後述するように、クレードル装置３には、携帯電話機２から送られた音声などのデータを記憶するメモリ１７、及びメモリコントローラ１８（図２参照）が設けられている。操作部１６は、メモリ１７に記憶されたデータを携帯電話機２側へ転送する際に使用される。
【００２８】
図２は、携帯電話機２及びクレードル装置３の電気的構成を示す。携帯電話機２は、マイコン２０によって各部が統括的に制御されている。マイコン２０には、前述の操作部４、液晶表示パネル５、スピーカ１２のほか、送受信部２１、メモリ２２、バイブレータ２３、電圧検出部２４などが接続されている。
【００２９】
送受信部２１は、通信アンテナ８と一体となって、公衆電話網を構成する中継局との間でデータの送受信処理を行う。この送受信部２１には、受話スピーカ６と送話マイク７とが接続されている。受話スピーカ６は、送受信部２１によって受信された音声信号を増幅して外部に音声出力する。送話マイク７は、送話者の音声を電気信号に変換して送受信部２１に送る。
【００３０】
メモリ２２は、半導体記憶素子によって構成されており、マイコン２０によって使用される各種制御プログラムが記憶されている。また、メモリ２２は、電話番号や氏名などの個人情報で構成される電話帳データ、留守番電話モード時に用いられる応答メッセージ（着信時に自動的に応答するメッセージ）や留守録メッセージ（着信相手によって録音されるメッセージ）などの音声データ、各種設定データなどを記憶し、これらのデータはマイコン２０の制御によって読み出し及び書き換え可能となっている。なお、受話スピーカ６及びスピーカ１２は、メモリ２２に記憶された音声データを発することが可能である。
【００３１】
バイブレータ２３は、振動することによって着信をユーザに報知する着信報知手段である。これに対して、前述のスピーカ１２は、音（ビープ、メロディなど）によって着信をユーザに報知する着信報知手段である。バイブレータ２３とスピーカ１２とのいずれの着信報知手段を着信時に用いるかは、メモリ２２に記憶された設定データに基づき、マイコン２０によって選択される。また、スピーカ１２は、メモリ２２に記憶された設定データに基づいて複数種類の着信音を発することが可能である。
【００３２】
電圧検出部２４は、携帯電話機２がクレードル装置３に装着（接続）されているか否かを判断するための検出手段である。電圧検出部２４は、クレードル装置３の充電電源部２５から接続端子１４を介して接続コネクタ９に印加される電圧を検出し、この検出結果をマイコン２０に送る。マイコン２０は、電圧検出部２４が所定の電圧を検出すれば携帯電話機２がクレードル装置３に装着されていると判断し、携帯電話機２を「留守番電話モード」に設定する。なお、マイコン２０は、留守番電話モードに切り替える前に設定されていた初期の動作モード（初期モード）の設定情報をメモリ２２に書き込む。
【００３３】
接続コネクタ９は、電圧検出部２４のほか、充電回路２６及びマイコン２０にも接続されている。充電回路２６は、バッテリ１１に接続されており、クレードル装置３の充電電源部２５から供給される電圧を受けてバッテリ１１の充電を行う。
【００３４】
クレードル装置３は、前述の接続端子１４、ＤＣ電源入力コネクタ１５、操作部１６、メモリ１７、メモリコントローラ１８、及び充電電源部２５によって構成されている。充電電源部２５は、ＤＣ電源入力コネクタ１５と接続端子１４とに接続されている。操作部１６及びメモリ１７が接続されたメモリコントローラ１８は、接続端子１４に接続され、携帯電話機２のマイコン２０との間でデータ通信を行う。
【００３５】
メモリコントローラ１８は、マイコン２０からの命令に応じてメモリ１７の読み出し又は書き込み制御を行う。メモリ１７には、着信時に携帯電話機２から送信される着信データ（着信日時、着信相手の電話番号、留守録メッセージなど）が書き込まれる。これらの着信データは、携帯電話機２のメモリ２２にも同時に書き込まれ、クレードル装置３のメモリ１７に書き込まれた着信データはバックアップとして使用される。操作部１６は、ユーザの操作に応じてメモリコントローラ１８に信号を与える。操作部１６に所定の操作が行われたとき、メモリ１７に記憶された着信データは携帯電話機２へ転送される。携帯電話機２に転送された着信データは、メモリ２２に書き込まれる。なお、メモリ１７の記憶容量は、メモリ２２の着信データ記憶用に使用される領域の容量より充分に大きいことが好ましい。
【００３６】
図３は、留守番電話モードに設定された携帯電話機２の着信時の応答シーケンスを説明する。携帯電話機２は、着信があると、所定時間（例えば５秒間）が経過するまでスピーカ１２から着信音の出力を行う（ステップＳ１１）。所定時間が経過すると、電話回線を接続し、電話に出られないことなどを告げる応答メッセージが着信相手に送信される（ステップＳ１２）。応答メッセージの送信が終了すると、所定時間（例えば３０秒間）の間、着信相手による留守録メッセージの録音（記録）が可能化され、所定時間が経過すると電話回線が切断される。なお、動作の途中で電話回線の切断があった場合には、その時点で動作は停止される。
【００３７】
ステップＳ１１において出力される着信音、及びステップＳ１２において送信される応答メッセージは、着信時に、着信情報（電話番号、着信時刻など）に基づいて複数のパターンから選択される。携帯電話機２のメモリ２２には、着信音及び応答メッセージの複数のパターンがデータとして格納されている。また、メモリ２２内の電話帳データには、複数の電話番号が登録されており、登録された各電話番号は、グループＡ（例えば、友人）、グループＢ（例えば、仕事関係）などに区分けされている。
【００３８】
図４は、着信時に着信情報に基づいて行われる着信音及び応答メッセージのパターン選択シーケンスの一例を示す。携帯電話機２は、着信があると同時に、着信相手の電話機から電話番号が通知されているか否かを判定し、電話番号が通知されている場合には、その電話番号がメモリ２２内の電話帳データに登録された登録番号であるか否かを判定する。電話番号が非通知の場合（公衆電話等からの着信で、着信相手の電話番号が不明の場合も含む）、及び電話番号が通知されていても未登録番号の場合には、着信音を無音とする「パターンＮ」が選択される。
【００３９】
一方、登録番号である場合には、着信時間が深夜／早朝（例えば午後１１時から午前６時）であるか否かが判定される。深夜／早朝の場合には、電話帳データから着信相手が家族や親戚などの親族であるかが判定され、親族でない場合には、上記の「パターンＮ」が選択される。また、親族である場合には、着信音を大音量とする「パターンＵ」が選択される。
【００４０】
着信時間が深夜／早朝でない場合には、続いて、電話帳データに基づいて着信相手がグループＡ、グループＢのいずれに属するかが判定される。着信相手がグループＡに属する場合には「パターンＡ」が、グループＢに属する場合には「パターンＢ」が選択され、着信相手がグループＡ又はＢのいずれにも属さない場合には上記の「パターンＮ」が選択される。
【００４１】
なお、各パターンの着信音及び応答メッセージは適宜変更可能である。また、着信音及び応答メッセージを着信情報に基づいて変更するための判定条件として、番号通知の有無、着信時間、電話帳のグループを用いたが、この判定条件は適宜変更可能であり、その他の判定条件を追加することも可能である。
【００４２】
次に、上記構成の携帯電話機２及びクレードル装置３の作用を説明する。図５に示すように、携帯電話機２をクレードル装置３の凹部１３に装着すると、電圧検出部２４が所定電圧を検出することでこれを判断し、携帯電話機２は留守番電話モードに切り替えられる（ステップＳ２１）。このとき、切り替え前に設定されていた初期モード（例えば通常のリンガーモード）の設定情報がメモリ２２に記憶され、また、バッテリ１１の充電が開始される。続いて、電圧検出部２４が電圧検出を継続することで携帯電話機２がクレードル装置３に装着されているかが監視されるとともに、着信が待ち受けられる（ステップＳ２２，Ｓ２３）。
【００４３】
携帯電話機２がクレードル装置３から離脱されることなく、着信があると、図３に示した前述の応答シーケンスが実行され、着信情報及び留守録メッセージがメモリ２２に格納される（ステップＳ２４）。このとき、前述のように着信情報に応じて報知動作（報知音）及び応答メッセージが変更される。応答シーケンス終了後、メモリ２２に格納された着信情報及び留守録メッセージからなる着信データがクレードル装置３に出力されてメモリ１７に書き込まれ、着信データのバックアップが行われる（ステップＳ２５）。これにより、重要な着信データが確実に保存される。応答シーケンス及びクレードル装置３へのデータ出力は、ステップＳ２２において着信があるたびに繰り替えし実行される。
【００４４】
携帯電話機２がクレードル装置３から離脱されると、続いて、携帯電話機２がクレードル装置３に装着されていた間の着信履歴の有無（すなわちステップＳ２１で着信があったか否か）が判断される。着信履歴がない場合には、ステップＳ２１でメモリ２２に記憶された設定情報が参照され、携帯電話機２は初期モードに復帰する。一方、着信履歴がある場合には、着信数は、スピーカ１２から音声メッセージとしてユーザに報知されるか、又は、液晶表示パネル５に表示されることによってユーザに報知される。ユーザが携帯電話機２の操作部４に所定の操作を行うと、着信情報が液晶表示パネル５に表示され、留守録メッセージを適宜再生することができる（ステップＳ２６）。この着信情報の表示が終了すると、携帯電話機２は初期モードに復帰する。
【００４５】
ステップＳ２６において着信情報は、例えば、図６に示すように液晶表示パネル５に表示される。ステップＳ２４でメモリ２２に格納された着信情報は、例えば図４で示したグループに基づいて区分された上で、着信時刻と登録名（電話番号に対応付けた名前）とが液晶表示パネル５にリスト表示される。このとき、操作部４を操作することで、リスト表示された着信時刻及び登録名から１つを選択し、対応する留守録メッセージを再生することが可能である。このように、携帯電話機２をクレードル装置３から外したとき、クレードル装置３装着中に何件の着信があったのかが一目で分かり、重要な留守録メッセージだけを選択的に再生することができる。
【００４６】
また、ステップＳ２５でクレードル装置３のメモリ１７にバックアップされた着信データは、携帯電話機２をクレードル装置３に装着した状態で、クレードル装置３の操作部１６を操作することによって携帯電話機２に転送され、留守録メッセージが再生される。携帯電話機２のメモリ２２に書き込み領域がなくなってメモリ２２から着信データを削除したような場合において、クレードル装置３のメモリ１７にバックアップされた着信データを有効に利用することができる。
【００４７】
以上説明したように、携帯電話機２はクレードル装置３に装着されると自動的に留守番電話モードに切り替えられるので、モード切り替えを行わずにクレードル装置に装着した場合であっても電話の着信に確実に対応することができる。
【００４８】
上記実施形態において、着信報知手段として、音によって報知を行うスピーカ１２と、振動によって報知を行うバイブレータ２３とを示したが、本発明はこれに限られるものではなく、携帯電話機２にＬＥＤなどからなる発光部を更に設け、着信を発光によってユーザに報知するようにしてもよい。また、上記実施形態では、着信情報に応じて、報知動作として着信音（音量、音程、メロディなど）を変更するようにしたが、同様に、着信情報に応じて、報知動作として該発光部の発光（光量、色、点滅パターンなど）を変更するようにしてもよい。
【００４９】
また、上記実施形態において、留守番電話モード時に着信相手に送信される応答メッセージの音声データを携帯電話機２のメモリ２２に格納しておくようにしたが、本発明はこれに限られるものではなく、応答メッセージを音声データとしてクレードル装置３のメモリ１７に格納しておくようにしてもよい。クレードル装置３のメモリ１７に格納された音声データは、携帯電話機２がクレードル装置３に装着された時点で、携帯電話機２側へ転送するようにしてもよいし、また、ステップＳ２４の応答シーケンス実行時に携帯電話機２側へ転送するようにしてもよい。さらに、クレードル装置３を複数の場所に設置し、各クレードル装置３に異なる応答メッセージを格納することで、クレードル装置３の設置場所（家、会社など）に応じて着信に対する対応を変えることもできる。
【００５０】
また、携帯電話機２が装着されるクレードル装置３に応じて応答メッセージを変えるようにするためには、必ずしもクレードル装置３側に応答メッセージを格納しておく必要はなく、この代わりにクレードル装置３に個別のＩＤコードを（例えばメモリ１７に）格納しておき、携帯電話機２がクレードル装置３に装着された際に、携帯電話機２がクレードル装置３から読み出したＩＤコードに応じて携帯電話機２側で応答メッセージを変えるようにすることも可能である。
【００５１】
さらに、上記実施形態において、携帯電話機２の電圧検出部２４によって携帯電話機２がクレードル装置３に装着されたか、又は離脱されたかを判断するようにしたが、本発明はこれに限られるものではなく、携帯電話機２の装着、離脱によって接点がオン／オフするスイッチをクレードル装置３に設け、このスイッチによる検出信号を携帯電話機２側に送信してクレードル装置３に装着されたか、又は離脱されたかを判断するようにしてもよい。
【図面の簡単な説明】
【００５２】
【図１】携帯電話機及びクレードル装置を示す外観斜視図である。
【図２】携帯電話機及びクレードル装置の電気的構成を示すブロック図である。
【図３】着信時の応答シーケンスを説明するフローチャートである。
【図４】着信音及び応答メッセージのパターン選択シーケンスの一例を示すフローチャートである。
【図５】携帯電話機及びクレードル装置の作用を説明するフローチャートである。
【図６】着信情報が表示された液晶表示パネルを示す正面図である。
【符号の説明】
【００５３】
２  携帯電話機
３  クレードル装置
４  操作部
５  液晶表示パネル
６  受話スピーカ
７  送話マイク
８  通信アンテナ
９  接続コネクタ
１１  バッテリ
１２  スピーカ
１３  凹部
１４  接続端子
１５  電源入力コネクタ
１６  操作部
１７  メモリ
１８  メモリコントローラ
２０  マイコン
２１  送受信部
２２  メモリ
２３  バイブレータ
２４  電圧検出部
【図１】
2006025239.tif 000003
【図２】
2006025239.tif 000004
【図３】
2006025239.tif 000005
【図４】
2006025239.tif 000006
【図５】
2006025239.tif 000007
【図６】
2006025239.tif 000008